(57)【要約】【課題】雪止部材を太陽電池パネル上に配設した状態で、この雪止部材を屋根面部材上へ容易に取り付けることができる雪止保持部材およびこれを用いた太陽電池屋根構造を提供すること。【解決手段】屋根面部材４上に直接取り付けられる取付部（２１，３３、３１，３２、４１，４２）と、太陽電池パネル１１上に配設される雪止部材６０を上端に取付可能に、太陽電池パネル１１と同じ高さまで前記取付部（２１，３３、３１，３２、４１，４２）から突出させられた雪止支持突部（２３，３３，４３）を備える。【選択図】  図３
2014125725.tif 000002
【特許請求の範囲】
【請求項１】
傾斜する屋根面部材上の太陽電池パネル上に積雪する雪が滑り落ちるのを規制させる雪止部材を、前記屋根面部材上に取り付ける雪止保持部材であって、
前記屋根面部材上に直接取り付けられる取付部と、前記太陽電池パネル上に配設した前記雪止部材を取付支持可能に、前記太陽電池パネルと同じ高さまで突出させられた雪止支持突部を備えることを特徴とする雪止保持部材。
【請求項２】
請求項１に記載の雪止保持部材において、前記取付部は帯状の取付板部であり、前記雪止支持突部は、前記取付板部から起立させられていることを特徴とする雪止保持部材。
【請求項３】
請求項２に記載の雪止保持部材において、前記雪止支持突部は、前記取付板部から起立させた起立板部と、前記起立板部の上端に連設され且つ上面が前記太陽電池パネルの上面と同じ高さの連設部を備えていることを特徴とする雪止保持部材。
【請求項４】
請求項３に記載の雪止保持部材において、前記取付板部と前記起立板部との間に補強リブが設けられていることを特徴とする雪止保持部材。
【請求項５】
請求項３又は４に記載の雪止保持部材において、前記取付板部は２つ設けられ、前記起立板部は前記２つの取付板部からそれぞれ起立させられ、前記連設部は前記２つの起立板部の上端間を連設していることを特徴とする雪止保持部材。
【請求項６】
請求項５に記載の雪止保持部材において、前記連設部には固定ネジの下端部が取り付けられていることを特徴とする雪止保持部材。
【請求項７】
請求項６に記載の雪止保持部材において、前記固定ネジは前記連設部の中央部に螺着されていることを特徴とする雪止保持部材。
【請求項８】
請求項２〜７のいずれか一つに記載の雪止保持部材において、前記帯状の取付板部には複数のネジ穴を長手方向に配列した２列のネジ穴列が設けられ、前記２列のネジ穴列はネジ穴が半ピッチずらして設けられていることを特徴とする雪止保持部材。
【請求項９】
太陽電池パネル本体の周囲にパネル支持枠を装着した太陽電池パネルが設けられ、前記太陽電池パネルが傾斜する屋根面部材の上面部に設けられていると共に、請求項１〜８のいずれか一つに記載の雪止保持部材が前記屋根面部材に直接取り付けられ、前記太陽電池パネル上に積雪する雪が前記屋根面部材の傾斜方向下方へ移動するのを規制させる雪止部材が前記雪止保持部材に取り付けられていることを特徴とする太陽電池屋根構造。
【発明の詳細な説明】
【技術分野】
【０００１】
この発明は、傾斜する太陽電池パネル上に積雪する雪が軒先側に移動するのを規制させる雪止部材を屋根面に取り付けるために用いる雪止保持部材およびこれを用いた太陽電池屋根構造に関するものである。
【背景技術】
【０００２】
従来、太陽電池パネルを傾斜する屋根面部材上に貼設した建物の太陽電池屋根構造が知られている。この太陽電池屋根構造を積雪地域の建物に用いる場合、太陽電池パネルの上面に積雪した雪が軒先方向へ移動して軒先から落下するのは好ましくない。
【０００３】
このため、このような太陽電池屋根構造では、太陽電池パネルが設けられた屋根面部材上に雪止め部材を設けて、太陽電池パネルの上面に積雪した雪の軒先側への移動を雪止部材により阻止（規制）させるようにすることが知られている（例えば、特許文献１，２参照）。
【０００４】
また、金属屋根が設けられた建物には、金属屋根のみえがかり部分に取付具を保持させて、この取付具に太陽電池モジュール本体又は雪止め部材を取り付けるようにすることが知られている（例えば、特許文献３参照）。
【先行技術文献】
【特許文献】
【０００５】
【特許文献１】特開2003-262017号公報
【特許文献２】特願平9-300269号公報
【特許文献３】登実第3096790号号公報
【発明の概要】
【発明が解決しようとする課題】
【０００６】
しかしながら、特許文献１，２の太陽電池屋根構造では、雪止部材を太陽電池パネルの下縁に沿って屋根面部材上に直接取り付けて、雪止部材の雪止め部を太陽電池パネルより上に突出させるようにしていた。このため、雪止部材に取付脚を一体に設ける必要があり、雪止部材の形状が複雑になるものであった。
【０００７】
また、複数の太陽電池パネルが縦横に並設された既設の建物の屋根面部材上に雪止部材を取り付けることも考えられる。
【０００８】
しかし、既設の建物の屋根面部材上に雪止部材の脚部を取り付ける場合、通常、雪止部材の脚部を複数の木ネジで屋根面部材上に所定位置に取り付ける必要があると共に、重量のある雪止部材を保持しながら取付作業を行わなければならないため、取付作業が容易ではない。
【０００９】
そこで、この発明は、雪止部材を太陽電池パネル上に配設した状態で、この雪止部材を屋根面部材上へ容易に取り付けることができる雪止保持部材およびこれを用いた太陽電池屋根構造を提供することを目的とするものである。
【課題を解決するための手段】
【００１０】
この目的を達成するため、この発明は、傾斜する屋根面部材上の太陽電池パネル上に積雪する雪が滑り落ちるのを規制させる雪止部材を、前記屋根面部材上に取り付ける雪止保持部材であって、前記屋根面部材上に直接取り付けられる取付部と、前記太陽電池パネル上に配設した前記雪止部材を取付支持可能に、前記太陽電池パネルと同じ高さまで突出させられた雪止支持突部を備えることを特徴とする。
【００１１】
また、この発明に係る太陽電池屋根構造は、太陽電池パネル本体の周囲にパネル支持枠を装着した太陽電池パネルが設けられ、前記太陽電池パネルが傾斜する屋根面部材の上面部に設けられていると共に、上述した雪止保持部材が前記屋根面部材に直接取り付けられ、前記太陽電池パネル上に積雪する雪が前記屋根面部材の傾斜方向下方へ移動するのを規制させる雪止部材が前記雪止保持部材に取り付けられている。
【発明の効果】
【００１２】
この構成によれば、雪止部材を太陽電池パネル上に配設した状態で、この雪止部材を屋根面部材上へ容易に取り付けることができる。
【図面の簡単な説明】
【００１３】
【図１】この発明に係る太陽電池屋根構造を有する建物の概略斜視図である。
【図２】図１の建物の屋根の平面図である。
【図３】（ａ）は図２のＡ１−Ａ１線に沿う断面図、（ｂ）は（ａ）の雪止支持部材の平面図である。
【図４】図１の太陽電池屋根構造の太陽電池パネルの取付位置の説明図である。
【図５】図４の太陽電池パネルと雪止保持部材との関係を示す概略説明図である。
【図６】図５の３種類の雪止保持部材の一つを示す斜視図である。
【図７】図６の雪止保持部材にシール部材を取り付けた説明図である。
【図８】図５の３種類の雪止保持部材の他の一つを示す斜視図である。
【図９】図５の３種類の雪止保持部材の残りの一つを示す斜視図である。
【図１０】図７の雪止保持部材に用いたシール部材の説明図である。
【図１１】図４の雪止保持部材の補強に用いる補強金具の斜視図である。
【図１２】図１１の補強金具の平面図である。
【図１３】図１１の補強金具の側面図である。
【図１４】図１３の補強金具の左平面図である。
【図１５】図１１の補強金具にシール部材を取り付けた斜視図である。
【図１６】図４の太陽電池パネルと雪止保持部材との配置関係を示す概略説明図である。
【図１７】図１６の太陽電池パネル間の縦スリットと横スリットの交差部の拡大説明図である。
【図１８】（ａ）は図１７の交差部に取り付けられる雪止保持部材および補強金具の説明図、（ｂ）は（ａ）の平面図である。
【図１９】図１７の交差部に雪止保持部材を介して雪止部材を取り付けた状態を示す平面図である。
【図２０】図１９のＡ３−Ａ３線に沿う断面図である。
【図２１】図２、図１９のＡ２−Ａ２線に沿う断面図である。
【図２２】図１６の隣接する太陽電池パネルの軒先側のＢ１の拡大説明図である。
【図２３】（ａ）は図１６の軒先側のＢ１に取り付けた雪止保持部材および補強金具の説明図、（ｂ）は（ａ）の平面図である。
【図２４】図１６の太陽電池パネルのケラバ側における軒先側のＢ２の拡大説明図である。
【図２５】（ａ）は図２４の軒先側のＢ２に取り付けた雪止保持部材および補強金具の説明図、（ｂ）は（ａ）の平面図である。
【図２６】図３、図１９，図２０，図２１に示した雪止部材の斜視図である。
【図２７】図２６の  傾斜する屋根面部材上の太陽電池パネル上に配設される雪止部材を前記屋根面部材上に取り付ける雪止保持部材であって、雪止保持部材への取り付けの説明図である。
【図２８】図２６の雪止部材の雪止保持部材への取り付けの説明図である。
【図２９】（ａ）は雪止保持部材の屋根面部材への配置を示す概略説明図、（ｂ）は（ａ）の雪止保持部材への取り付け位置を示す説明図、（ｃ）は（ｂ）の平面図である。
【図３０】雪止部材の雪止保持部材への取り付け構造の説明図である。
【図３１】雪止部材の雪止保持部材への他の取り付け構造の説明図である。
【発明を実施するための形態】
【００１４】
以下、この発明に係る太陽電池屋根構造および太陽電池雪止め補強金具を図面に基づいて説明する。
【００１５】
図１，図２において、１は住宅等の建物、２は建物１の傾斜屋根である。この傾斜屋根２は、図３に示したように、棟側から軒先まで傾斜して延びる垂木３と、垂木３上に設けられた屋根面部材４を有する。この屋根面部材４は、垂木３上に固定された野地板５と、この野地板５上に貼り付けられた下地鋼鈑６を備えている。
【００１６】
また、傾斜屋根２の軒先には、垂木３の先端に固定された鼻隠し７と、この鼻隠し７に沿って配設され且つ鼻隠し７の固定された雨樋８と、野地板５の軒先の先端部に取り付けられて雨樋８上に向けて傾斜するように設けられた軒先水切り９を有する。
【００１７】
屋根面部材４上の下地鋼鈑６上には、図１，図２に示した太陽光発電装置１０が図４に示したように配設されている。この太陽光発電装置１０は、所定間隔をおいて縦横にマトリックス状に配列された複数（多数）枚の太陽電池パネル１１を有する。
【００１８】
この各太陽電池パネル１１は、図４に示したように太陽電池パネル本体１２と、この太陽電池パネル本体１２の周囲に設けられて太陽電池パネル本体１２を保持している方形状のパネル支持枠１３を有する。この太陽電池パネル本体１２は、縦横に隙間なくマトリックス状に配列された複数（多数）の太陽電池モジュール１２ａを備えている（図５参照）。
【００１９】
この太陽電池パネル１１のパネル支持枠１３は、妻方向即ち傾斜屋根２の屋根傾斜方向に延びる側縁部（符号省略）と、桁方向（屋根傾斜方向と直交する方向）に延びる上縁部（符号省略）及び下縁部（符号省略）を有する。
【００２０】
このパネル支持枠１３の下縁部には図４に示したように複数のパネル取付金具１４が桁方向に間隔をおいて固定され、同様にパネル支持枠１３の上縁部にも図示は省略したが複数のパネル取付金具(図示せず)が取り付けられている。この複数のパネル取付金具１４を屋根面部材４に木ネジ（図示略）で固定することで、パネル支持枠１３の上縁部及び下縁部が屋根面部材４上に取り付けられている。
【００２１】
この際、太陽電池パネル１１と屋根面部材４との間には所定間隔の隙間４ａが形成される。また、傾斜方向に隣接する太陽電池パネル１１，１１間には横スリットＸｓが形成され、傾斜方向と直交する方向に隣接する太陽電池パネル１１，１１間には縦スリットＹｓが形成されている。更に、太陽電池パネル１１の側縁部の側方には屋根傾斜方向の中間部に位置させた金具１５が配設されている。この金具１５は、屋根面部材４に木ネジ(図示略)で取り付けられ、太陽電池パネル１１，１１に位置するものは太陽電池パネル１１，１１の縦スリットＹｓの間隔を設定している。
【００２２】
図１，図２において、１１（Ｌu）は、太陽光発電装置１０の屋根傾斜方向における軒先側の左コーナ部に位置する太陽電池パネル、即ち図１の桁方向の最も左端（左の妻側の端）に位置し且つ屋根傾斜方向の軒先側の端に位置する太陽電池パネルを示したものである。また、１１（Ｒu）は、太陽光発電装置１０の屋根傾斜方向における軒先側の右コーナ部に位置する太陽電池パネル、即ち図１の桁方向の最も右端（右の妻側の端）に位置し且つ屋根傾斜方向の軒先側の端に位置する太陽電池パネルを示したものである。図５は、図１の太陽電池パネル１１（Ｌu）および太陽電池パネル１１（Ｌu）に隣接する太陽電池パネル１１の一部を示したものである。
＜雪止部材取付構造＞
(i).積雪量が少ない地域での雪止部材取付構造
図５において、太陽電池パネル１１（Ｌu）とこれの上縁部に隣接する太陽電池パネル１１との側方（矢印Ｂ３で示した部分）にはこれらに跨る細幅の雪止取付金具（雪止保持部材、雪止め金具）２０が配設されている。また、太陽電池パネル１１（Ｌu）とこれに隣接する３つの太陽電池パネル１１との間（後述する交差部Ｓａの部分）には、太陽電池パネル１１（Ｌu）とこれの上方に隣接する太陽電池パネル１１に跨るように細幅の雪止取付金具（雪止保持部材、雪止め金具）３０が配設されている。更に、太陽電池パネル１１（Ｌu）とこれの右の側縁部に隣接する太陽電池パネル１１との間には細幅の雪止取付金具（雪止保持部材、雪止め金具）３０が配設されている。また、太陽電池パネル１１（Ｌu）の左下端のコーナ部の側方には細幅の雪止取付金具（雪止保持部材、雪止め金具）４０が配設されている。
（雪止取付金具２０）
雪止取付金具２０は、図６に示したように、屋根面部材４に直接固定する帯状の取付板部（取付部）２１，２２と太陽電池パネル１１の上面より上方に突出する逆Ｕ字状の雪止支持突部２３を有する。この取付板部（取付部）２１，２２および雪止支持突部２３は帯状鋼鈑（帯状金属）を中央部で折曲成形することにより形成されている。
【００２３】
この屋根傾斜方向の上側に位置させる細幅の取付板部（取付部）２１には、複数のネジ穴２１ａを長手方向に等ピッチで配列した一対のネジ穴列２１Ｌ，２１Ｒが設けられている。この一対のネジ穴列２１Ｌ，２１Ｒは、幅方向に並設されている。また、一対のネジ穴列２１Ｌ，２１Ｒのネジ穴２１ａは、互いにネジ穴２１ａの配列方向に半ピッチずらして設けられ、幅方向に並設されている。２２ａは取付板部（取付部）２２に設けられたネジ穴である。
【００２４】
また、雪止支持突部２３は、取付板部（取付部）２１，２２から垂直に起立する起立板部２３ａ，２３ｂと、起立板部２３ａ，２３ｂの上端を連設する連設部２３ｃを有する。この起立板部２３ａと取付板部（取付部）２１の幅方向中央部には補強板２４が補強リブとして溶接固定され、起立板部２３ｂと取付板部（取付部）２２の幅方向中央部には補強板２５が補強リブとして溶接固定されている。更に、連設部２３ｃの中央部には雪止取付部材（雪止取付手段）としての固定ネジ２６の下端部が螺着され、この固定ネジ２６の連設部２３ｃから裏面側に突出する部分には固定ナット２７が螺着されている。この固定ネジ２６の連設部２３ｃからの突出量は固定ナット２７により調整可能に設けられている。
【００２５】
尚、雪止支持突部２３の高さは連設部２３ｃの上面が太陽電池パネル１１の上面と同じになる高さに形成されていて、固定ネジ２６のみが太陽電池パネル１１の上面より上方に突出するように設定されている。
【００２６】
雪止取付金具２０の取付板部（取付部）２１，２２の裏面には、図７に示したように図１０の帯状の弾性シール部材２８が貼り付けられている。この弾性シール部材２８には、エプトシーラー（登録商標）が用いられている。このエプトシーラーは、汎用ゴムの中で最も耐久性・耐候足にすぐれたEPDM（エチレンプロピレンジエンモノマー）ゴム発泡体に粘着材を施したものである。
（雪止取付金具３０）
雪止取付金具３０は、図８に示したように、屋根面部材４に直接固定する帯状の取付板部（取付部）３１，３２，３２と、太陽電池パネル１１の上面より上方に突出する逆Ｕ字状の雪止支持突部３３を有する。この取付板部（取付部）３１，３２，３２および雪止支持突部３３はＴ字状の帯状鋼鈑（帯状金属）を中央部で折曲成形することにより形成されていて、取付板部（取付部）３２，３２は雪止支持突部３３の側方に突出している。
【００２７】
また、屋根傾斜方向の上側に位置させる細幅の取付板部（取付部）３１には、複数のネジ穴３１ａを長手方向に等ピッチで配列した一対のネジ穴列３１Ｌ，３１Ｒが設けられている。この一対のネジ穴列３１Ｌ，３１Ｒは幅方向に並設されている。また、一対のネジ穴列３１Ｌ，３１Ｒのネジ穴３１ａは、互いにネジ穴３１ａの配列方向に半ピッチずらして設けられている。３２ａは各取付板部（取付部）３２に設けられたネジ穴である。
【００２８】
更に、雪止支持突部３３は、取付板部（取付部）３１，３２から垂直に起立する起立板部３３ａ，３３ｂと、起立板部３３ａ，３３ｂの上端を連設する連設部３３ｃを有する。この起立板部３３ａと取付板部（取付部）３１との幅方向中央部には補強板３４が補強リブとして溶接固定されている。また、起立板部３３ｂと取付板部（取付部）３２及び連設部３３ｃとには長方形状の補強板３５が溶接固定されている。尚、補強板３５は、雪止支持突部３３両側部（一方図示せず）に設けられている。しかも、連設部３３ｃの中央部には雪止取付部材（雪止取付手段）としての固定ネジ３６が取り付けられている。この固定ネジ３６の連設部３３ｃからの突出量は、固定ネジ２６と同様に図示しない固定ナットにより調整可能に設けられている。また、取付板部（取付部）３１，３２，３２の裏面にも、雪止取付金具２０の弾性シール部材２８と同様な弾性シール部材(図示略)が設けられている。
【００２９】
尚、雪止支持突部３３の高さは連設部３３ｃの上面が太陽電池パネル１１の上面と同じになる高さに形成されていて、固定ネジ３６のみが太陽電池パネル１１の上面より上方に突出するように設定されている。
（雪止取付金具４０）
雪止取付金具４０は、図９に示したように、屋根面部材４に直接固定する帯状の取付板部（取付部）４１，４２と、太陽電池パネル１１の上面より上方に突出する逆Ｕ字状の雪止支持突部４３を有する。この取付板部（取付部）４１，４２および雪止支持突部４３はＬ字状の帯状鋼鈑（帯状金属）を中央部で折曲成形することにより形成されていて、取付板部（取付部）４２，４２は雪止支持突部４３の側方に突出している。
【００３０】
また、屋根傾斜方向の上側に位置させる細幅の取付板部（取付部）４１には、複数のネジ穴４１ａを長手方向に等ピッチで配列した一対のネジ穴列４１Ｌ，４１Ｒが設けられている。この一対のネジ穴列４１Ｌ，４１Ｒは、幅方向に並設されている。また、一対のネジ穴列４１Ｌ，４１Ｒのネジ穴４１ａは、互いにネジ穴４１ａの配列方向に半ピッチずらして設けられている。４２ａは各取付板部（取付部）４２に設けられたネジ穴である。
【００３１】
更に、雪止支持突部４３は、取付板部（取付部）４１，４２から垂直に起立する起立板部４３ａ，４３ｂと、起立板部４３ａ，４３ｂの上端を連設する連設部４３ｃを有する。この起立板部４３ａと取付板部（取付部）４１の幅方向中央部には補強板４４が補強リブとして溶接固定されている。また、起立板部４３ｂと取付板部（取付部）４２及び連設部４３ｃとには長方形状の補強板４５が溶接固定されている。尚、補強板４５は、雪止支持突部４３両側部（一方図示せず）に設けられている。しかも、連設部４３ｃの中央部には雪止取付部材（雪止取付手段）としての固定ネジ４６が取り付けられている。この固定ネジ４６の連設部４３ｃからの突出量も、固定ネジ２６と同様に図示しない固定ナットにより調整可能に設けられている。また、取付板部（取付部）４１，４２の裏面にも、雪止取付金具２０の弾性シール部材２８と同様な弾性シール部材(図示略)が設けられている。
【００３２】
尚、雪止支持突部４３の高さは連設部４３ｃの上面が太陽電池パネル１１の上面と同じになる高さに形成されていて、固定ネジ４６のみが太陽電池パネル１１の上面より上方に突出するように設定されている。
【００３３】
このような雪止取付金具２０（３０，４０）は、取付板部（取付部）２１，２２（３１，３２，４１，４２）が下地鋼板６および屋根面部材４に複数の固定部材（固定手段）としての木ネジ５０で取り付けられる（図３参照）。この際、雪止取付金具２０（３０，４０）の雪止支持突部２３（３３，４３）は太陽電池パネル１１の上面より上方に突出させられ、雪止支持突部２３（３３，４３）の連設部２３ｃ（３３ｃ，４３ｃ）が太陽電池パネル１１の上面より上方に配置される。
【００３４】
この雪止取付金具２０（３０，４０）に作用する雪の荷重（重量）は取付板部（取付部）２１，２２（３１，３２、４１，４２）を介して屋根面部材４に作用する。
【００３５】
尚、雪止取付金具２０，３０，４０には、太陽電池パネル１１上に積雪する雪が軒先側に滑り落ちるのを阻止する雪止部材（後述）が取り付けられる。この雪止部材（後述）には、太陽電池パネル１１上に積雪する雪から軒先側に滑り落ちようとする雪滑り降下荷重が作用する。しかし、積雪量が少ない地域では、雪止部材（後述）に作用する雪滑り降下荷重が小さいため、この雪滑り降下荷重が雪止部材（後述）および雪止部材を雪止取付金具２０（３０、４０）を介して、雪止取付金具２０（３０、４０）の取付板部（取付部）２１，２２（３１，３２、４１，４２）から屋根面部材４に作用する荷重は小さい。従って、積雪量が少ない地域では、雪止部材（後述）から作用する雪滑り降下荷重を雪止取付金具２０，３０，４０のみで屋根面部材４に支持させるようにできる。
【００３６】
尚、太陽電池パネル１１が設けられていても、雪止部材６０が設けられていない建物では、太陽電池パネル１１上に積雪した雪の滑り荷重が屋根面部材４に作用することはないので、上述した下地鋼板６は通常設けられていない。また、雪止部材６０を屋根面部材４に設ける場合でも、積雪量が少ない地域では雪止部材６０から雪止取付金具２０，３０，４０等を介して屋根面部材４に作用する雪の荷重も小さいので、上述した下地鋼板６は必ずしも必要ない。
【００３７】
しかし、本実施例では、雪止取付金具２０，３０，４０等が下地鋼板６および屋根面部材４に木ネジ５０等の固定手段で取り付けることで、支持強度を向上させることができる。
(ii).積雪量が多い地域での雪止部材取付構造
しかし、積雪量が多い地域では、雪止部材（後述）に作用する雪滑り降下荷重が大きいため、この雪滑り降下荷重が雪止部材（後述）および雪止部材を雪止取付金具２０（３０、４０）を介して、雪止取付金具２０（３０、４０）の取付板部（取付部）２１，２２（３１，３２、４１，４２）から屋根面部材４に作用する雪滑り降下荷重が大きくなる。従って、積雪量が多い地域では、雪止部材（後述）から作用する雪滑り降下荷重を雪止取付金具２０，３０，４０のみで屋根面部材４に支持させることが、難しくなる。
【００３８】
この場合には、支持強度を向上させるために屋根面部材４上に下地鋼板６を取付けると共に、雪止取付金具２０（３０，４０）の取付板部（取付部）２１，２２（３１，３２、４１，４２）を介して屋根面部材４に作用する雪滑り降下荷重を分散させるため、図１１〜図１５に示した補強金具（太陽電池雪止め補強金具）５１を用いる。
【００３９】
この補強金具５１は、図１１，図１２に示したように、帯状の固定板部（固定部）５２と、この固定板部５２の一端部に一体に設けられた支持板部５３からＴ字状に形成されている。この固定板部５２および支持板部５３には、固定板部５２の長手方向に配列された複数のネジ穴５２ａが等ピッチで形成されている。
【００４０】
また、支持板部５３の固定板部５２から両側に突出する部分には、固定板部５２に対して垂直に折り曲げて起立させることにより形成した掛止部としての掛止板部（突出部）５４，５４が設けられている。この掛止板部（係止部）５４，５４の基部は折曲によりＲ状に湾曲形成されているが、この湾曲する基部と固定板部５２との間には切り込み部５５が設けられている。この切り込み部５５は、雪止取付金具２０（３０，４０）に設けた雪止支持突部２３（３３，４３）の起立板部２３ａ（３３ａ，４３ａ）を掛止させる際に、取付板部（取付部）２１（３１，４１）を固定板部５２の側面に密接可能にするために設けられている。更に、支持板部５３と系止板部５４には、図１１〜図１４に示したように、補強板５６が補強リブとして溶接固定されている。また、固定板部５２および支持板部５３の裏面には図１５に示したように帯状の弾性シール部材５７が貼り付けられている。この弾性シール部材５７には、エプトシーラー（登録商標）が用いられている。このエプトシーラーは、汎用ゴムの中で最も耐久性・耐候足にすぐれたEPDM（エチレンプロピレンジエンモノマー）ゴム発泡体に粘着材を施したものである。
【００４１】
図１６は、この補強金具５１を用いて雪止取付金具２０（３０，４０）を支持する位置を示したものである。図１７は、太陽電池パネル１１（Ｌu）とこれに隣接する３つの太陽電池パネル１１との間に形成される横スリットＸｓと縦スリットＹｓとの交差部Ｓａを示したものである。
【００４２】
図１６において、太陽電池パネル１１（Ｌu）とこれの上縁部に隣接する太陽電池パネル１１との側方にはこれらに跨る細幅の雪止取付金具（雪止保持部材、雪止め金具）２０が配設されている。また、図１６、図１７に示したように、太陽電池パネル１１（Ｌu）とこれに隣接する３つの太陽電池パネル１１との間には、交差部Ｓａの部分に位置させて太陽電池パネル１１（Ｌu）とこれの上方に隣接する太陽電池パネル１１に跨るように細幅の雪止取付金具（雪止保持部材、雪止め金具）２０が配設されている（図19〜図２１参照）。
【００４３】
更に、太陽電池パネル１１（Ｌu）とこれの右の側縁部に隣接する太陽電池パネル１１との間には、図１６，図２２に示したように細幅の雪止取付金具（雪止保持部材、雪止め金具）３０が配設されている。また、太陽電池パネル１１（Ｌu）の左下端のコーナ部の側方には、図１６，図２４に示したように細幅の雪止取付金具（雪止保持部材、雪止め金具）４０が配設されている。
【００４４】
そして、補強金具５１は、各雪止取付金具２０，３０，４０に隣接して、それぞれ配置される。即ち、図１８に示したように雪止取付金具２０に隣接して補強金具５１が配置され、図２３に示したように雪止取付金具３０に隣接して補強金具５１が配置され、図２５に示したように雪止取付金具４０に隣接して補強金具５１が配置される。この際、補強金具５１は固定板部５２の延びる方向が屋根傾斜方向に向けられていると共に、補強金具５１の固定板部５２が屋根傾斜方向の上側に位置させられ且つ補強金具５１の支持板部５３が屋根傾斜方向の下側すなわち軒下側に位置させられている。また、この各補強金具５１の固定板部５２は、複数の固定部材（固定手段）であるネジ５８により屋根面部材４に固定されている。
【００４５】
しかも、図１８に示したように、雪止取付金具２０の取付板部２１の側面は補強金具５１の固定板部５２の側面に密接（当接）させられ、且つ、雪止取付金具２０に設けた雪止支持突部２３の起立板部２３ａは補強金具５１の系止板部（係止部）５４に屋根傾斜方向の上側から掛止させられている。また、図２３に示したように、雪止取付金具３０の取付板部３１の側面は補強金具５１の固定板部５２の側面に密接（当接）させられ、且つ、雪止取付金具３０に設けた雪止支持突部３３の起立板部３３ａは補強金具５１の系止板部（係止部）５４に屋根傾斜方向の上側から掛止させられている。更に、図２５に示したように、雪止取付金具４０の取付板部４１の側面は補強金具５１の固定板部５２の側面に密接（当接）させられ、且つ、雪止取付金具４０に設けた雪止支持突部４３の起立板部４３ａは補強金具５１の系止板部（係止部）５４に屋根傾斜方向の上側から掛止させられている
。
【００４６】
この状態で、図１８に示したように雪止取付金具２０の取付板部２１，２２は複数の固定部材（固定手段）である木ネジ５０で屋根面部材４に固定され、図２３に示したように雪止取付金具３０の取付板部３１，３２は複数の固定部材（固定手段）である木ネジ５０で屋根面部材４に固定され、図２５に示したように雪止取付金具４０の取付板部４１，４２は複数の固定部材（固定手段）である木ネジ５０で屋根面部材４に固定されている。
（雪止部材６０の取付）
図１の太陽光発電装置１０は複数の太陽電池パネル１１を備え、この太陽電池パネル１１上に積雪する雪が自重で屋根傾斜方向に滑って軒先から落下するのを阻止させる雪止部材６０が図３，図１９，図２０，図２１に示したように設けられる。この雪止部材６０には、図２６〜図２８に示したようなＬ字状の山形鋼が用いられる。この雪止部材６０は取付片６０ａと雪止片６０ｂからＬ字状に形成され、取付片６０ａの長手方向両端部には長孔６１，６１が形成されている。また、雪止部材６０は、上述した雪止取付金具２０，３０，４０を用いて屋根面部材４に取り付けられる。
【００４７】
ここで、図２において、軒下に沿って配設された複数の太陽電池パネル１１の列を軒下側太陽電池パネル列ＰＬ１とし、屋根傾斜方向において軒下側太陽電池パネル列ＰＬ１に沿う方向に配列され且つ中間太陽電池パネル列ＰＬ１より上側に配列された太陽電池パネル１１の列を中間太陽電池パネル列Ｌｉ（ｉ＝０，１，２・・・ｎ）として、上述した雪止取付金具２０，３０，４０の配設状態を説明する。
【００４８】
上述したように、軒下側太陽電池パネル列ＰＬ１のケラバ側（妻側）に配置された太陽電池パネル１１（Ｌｕ）のケラバ側（妻側）端のコーナ部には雪止取付金具４０が配設され、軒下側太陽電池パネル列ＰＬ１の複数の太陽電池パネル１１の隣接部間には雪止取付金具３０が配設される。この雪止取付金具３０,４０，・・・は、図２９（ａ）に示したように間隔をおいて直列に配列されて、雪止取付金具列Ｓ１を構成している。
【００４９】
また、中間太陽電池パネル列Ｌｉと上下に隣接する中間太陽電池パネル列との間で且つ桁方向に隣接する太陽電池パネル１１，１１の間には、上下に隣接する太陽電池パネル１１，１１に跨って雪止取付金具２０が配設されている。
【００５０】
この雪止取付金具２０，２０，・・・は図２９（ａ）に示したように間隔をおいて直列に配列されて、雪止取付金具列Ｓｉを構成している。
【００５１】
このような雪止取付金具列Ｓ１，Ｓｉ上には図２９（ｂ）に示したように軒先に沿って直線状に延びる雪止ＳＴが取り付けられる。この雪止ＳＴは、複数の雪止部材６０を直列に且つ隣接するものの端部同士が重なるように配列して、両端に位置する雪止部材６０の互いに反対側の端部ＥＬ，ＥＲに対応する雪止取付金具２０又は４０に取り付け、複数の雪止部材６０の隣接するもの同士の重なり部分を雪止取付金具２０又は３０に取り付けることにより、形成したものである。
【００５２】
この雪止部材６０の雪止取付金具２０（３０，４０）への取り付けは、取付片６０ａの長孔６１に雪止取付金具２０（３０，４０）の固定ボルト２６（３６，４６）を挿通し、固定ボルト２６（３６，４６）の先端部に袋ナット６２を螺着することで行われる（図２８参照）。
（雪止取付金具列S1の雪止部材６０，６０の重なり部の取り付け）
この際、重なり部に対応する雪止取付金具３０の部分においては、隣接する雪止部材６０，６０の重なり部の雪止取付金具３０への雪止部材６０の取り付けは図３に示したようになる。この図３において、Ｙｃは桁方向において隣接する太陽電池パネル１１，１１間の縦スリットＹｓの上方を覆うフッ素樹脂鋼板製の帯状の縦カバーである。尚、この縦カバーＹｃと太陽電池パネル１１との間には隙間が形成されているが、この隙間は例えば数ミリ以下の非常に小さい寸法であるので、ある程度の大きさの異物の侵入等は阻止できる。
【００５３】
この図３では、縦カバーＹｃの下端部を雪止支持突部３３の固定ネジ３６が貫通して、この下端部が雪止支持突部３３の連設部３３ｃ上に当接させられる。この図３では、雪止取付金具３０の雪止支持突部３３上に当接する縦カバーＹｃの下端部と下側の雪止部材６０の取付片６０ａとの間にボルト用パッキン６３及び座金６４が介装され、上側の雪止部材６０の取付片６０ａと袋ナット６２との間に座金６５が介装される。この座金６４，６５にはゴムワッシャーが用いられ、座金６４にはエプトシーラー（登録商標）が用いられている。
（雪止取付金具列Sｉの重なり部分の取り付け）
また、重なり部に対応する雪止取付金具２０の部分においては、隣接する雪止部材６０，６０の重なり部分の雪止取付金具２０への雪止部材６０の取り付けは図２０，図２１に示したようになる。この図２０において、Ｙｃは桁方向において隣接する太陽電池パネル１１，１１間の縦スリットＹｓの上方を覆うフッ素樹脂鋼板製の帯状の縦カバーである。尚、この縦カバーＹｃと太陽電池パネル１１との間には隙間が形成されているが、この隙間は例えば数ミリ以下の非常に小さい寸法であるので、ある程度の大きさの異物の侵入等は阻止できる。
【００５４】
この図２０，図２１では、雪止取付金具３０の雪止支持突部３３上に当接する縦カバーＹｃの下端部と下側の雪止部材６０の取付片６０ａとの間にボルト用パッキン（シール部材）６３及び座金６４が介装され、上側の雪止部材６０の取付片６０ａと袋ナット６２との間に座金６５が介装される。この座金６４，６５にはゴムワッシャーが用いられ、座金６４にはエプトシーラー（登録商標）が用いられている。尚、横方向スリットＸｓの上方は雪止部材６０の取付片６０ａで覆われるので、横カバーを別途設ける必要がない。尚、図２１に示したように、ボルト用パッキン６３と隣接する太陽電池パネル１１，１１の支持枠（パネルフレーム）１３，１３との間にはシールセイバー６７がシール部材として介装することもできる（図２０では省略）。
（雪止取付金具列S1，Ｓｉの端の部分の取り付け）
この雪止取付金具列S1，Ｓｉの端の部分は雪止部材６０の重なり部分がないので、図２９（ｂ）に示したように端に位置する雪止部材６０（ｅ）がこれに隣接する雪止部材６０（ｆ）の上側に位置する場合には、図３０に示したように雪止部材６０（ｅ）の取付片６０ａの上側の座金６４を１枚とし、雪止部材６０（ｅ）の取付片６０ａの下側の座金６４を２枚とする。これは、雪止部材６０（ｆ）の取付片６０ａの厚さと同じ厚さの座金６４を１枚増やすことで、端の雪止部材６０（ｅ）の水平を保持させるためである。
【００５５】
また、端に位置する雪止部材６０（ｅ）がこれに隣接する雪止部材６０（ｆ）の下側に位置する場合には、図３１に示したように雪止部材６０（ｅ）の取付片６０ａの上側の座金６４を２枚とし、雪止部材６０（ｅ）の取付片６０ａの下側の座金６４を１枚とする。これは、袋ナット６２の雌ねじ（図示せず）の長さが少ないので、袋ナット６２による締付が不十分とならないようにするためである。
＜積雪量の多い地域の既設の建物への雪止取付金具列S1，Siの取り付け＞
次に、積雪量の多い地域の既設の建物への雪止取付金具列S1，Si（図２９（ａ）〜図29（ｃ）参照）の取り付けに際して、雪止取付金具列S1，Siの複数の雪止部材６０の取り付けに用いる雪止取付金具２０，３０，４０および図１１〜図１５に示した補強金具（太陽電池雪止め補強金具）５１を図１８，図２３，図２５に示したように屋根面部材４に取り付ける。
【００５６】
この雪止取付金具２０は、図１６に示したように太陽電池パネル１１（Ｌu）とこの太陽電池パネル１１（Ｌu）の上縁部に隣接する太陽電池パネル１１との間の側方、及び、図１６，図２０に示したように縦スリットYsと横スリットXｓの交差部（太陽電池パネル１１（Ｌu）とこれに隣接する３つの太陽電池パネル１１との間の交差部）Ｓａに位置させて、太陽電池パネル１１（Ｌu）とこれの上方に隣接する太陽電池パネル１１に跨るように配置される。また、雪止取付金具３０は、太陽電池パネル１１（Ｌu）とこれの右の側縁部に隣接する太陽電池パネル１１との間に配設される。また、雪止取付金具４０は、太陽電池パネル１１（Ｌu）の左下端のコーナ部の側方に配設される。このように雪止取付金具２０，３０，４０は予め設定された位置に配置される。
【００５７】
図１６の交差部Saの部分においては、雪止取付金具２０を図２０の屋根面部材４に取り付ける前に、図１８（ａ），図１８（ｂ）に示した補強金具５１を雪止取付金具２０に隣接配置して屋根面部材４に取り付けて、雪止金具２０の補強に用いる。
【００５８】
また、この補強金具５１の固定板部５２は、図２１に示したように太陽電池パネル１１のパネル支持枠（パネル支持フレーム）１３の真下に位置させて、パネル支持枠（パネル支持フレーム）１３と屋根面部材４との間に配設される。この太陽電池パネル１１のパネル支持枠と屋根面部材４との間は狭く、ねじ回し用のドライバ等を差し込んで使用することは難しい。これらの点は、他の部分に配置される雪止取付金具２０，３０，４０についても同じである。
【００５９】
尚、太陽電池パネル１１が設けられていても、雪止部材６０が設けられていない既設の建物では、太陽電池パネル１１上に積雪した雪の滑り荷重が屋根面部材４に作用することはないので、積雪量の多い地域でも上述した下地鋼板６は通常設けられていない。しかし、積雪量の多い地域では、雪止部材６０が設けられた場合、雪止部材６０から雪止取付金具２０，３０，４０および等を介して太陽電池パネル１１に積雪する雪の大きな滑り荷重が屋根面部材４に作用する。
【００６０】
従って、下地鋼板６が屋根面部材４上に取り付けられていない既設の建物に雪止取付金具２０，３０，４０等を取り付ける場合には、雪止取付金具２０，３０，４０等および補強金具５１を屋根面部材４に取り付ける前に、太陽電池パネル１１を屋根面部材４から取り外して、雪止取付金具２０，３０，４０等の取付部の支持強度を向上させるために、屋根面部材４上に下地鋼板６を貼り付け（取り付け）る。そして、この下地鋼板６上に太陽電池パネル１１を取り付けるための墨打ライン（図示せず）を付ける。
【００６１】
この後、補強金具５１を太陽電池パネル１１の取り付けのための墨打ラインを目安に屋根面部材４上に配設して、補強金具５１の固定板部５２を複数のネジ穴５２ａにそれぞれ挿通した木ネジ５８で屋根面部材４上に固定する。このような補強金具５１の取り付けは、各雪止取付金具２０，３０，４０の取付位置に隣接させてそれぞれ行う。
【００６２】
この各雪止取付金具２０，３０，４０に対応して屋根面部材４にそれぞれ取り付けられた補強金具５１の側方には、図１８，図２３，図２５に示したように、雪止取付金具２０，３０，４０が隣接は位置される。この際、図１８（図２３，図２５）に示したように、雪止取付金具２０（３０，４０）に設けられた雪止支持突部２３（３３，４３）の起立板部２３ａ（３３ａ，４３ａ）が各補強金具５１の掛止板部５４，５４の一方に屋根傾斜方向の上側から掛止させ、且つ、雪止取付金具２０（３０，４０）の取付板部２１（３１，４１）と各補強金具５１の固定板部５２の対向する側面同士がそれぞれそれぞれ当接させる。この状態で、雪止取付金具２０（３０，４０）の取付板部２１，２２（３１，３２、４１，４２）を図１８（ｂ），図２３（ｂ），図２５（ｂ）に示したように木ネジ（固定部材、固定手段）５０で屋根面部材４に固定する。この際、各木ネジ５０は、図１８（ａ），図２３（ａ），図２５（ａ）のネジ穴２１ａ，２２ａ（３１ａ，３２ａ、４１ａ，４２ａ）に挿通されている。
【００６３】
この雪止取付金具２０，３０，４０の屋根面部材４への取り付けは、太陽電池パネル１１を墨打ラインに合わせて屋根面部材４上に取り付ける前であっても後であっても良い。このようにして、複数の太陽電池パネル１１および複数の雪止取付金具２０，３０，４０を予め設定した位置に取り付けたときに、雪止取付金具２０，３０，４０の雪止支持突部２３，３３，４３は太陽電池パネル１１の上面より上方に突出する。この雪止支持突部２３，３３，４３に上述したように雪止部材６０を取り付けて、雪止取付金具列S1，Siを形成する。
【００６４】
このような構成では、太陽電池パネル１１上に積雪した雪の重量が軒下側に滑り落ちようとする雪の滑り荷重が雪止部材６０から雪止取付金具２０，３０，４０を介して屋根面部材４へ作用しても、この雪の滑り荷重が補強金具５１を介して屋根面部材４へ分散される。この際、雪止取付金具２０，３０，４０の屋根面部材４への取付部である取付板部２１，２２（３１，３２、４１，４２）から屋根面部材４へ木ネジ５０を介して作用する雪の分散滑り荷重、及び、補強金具５１の屋根面部材４への固定板部５２から屋根面部材４に木ネジ５８を介して作用する雪の分散滑り荷重は、下地鋼板６を介して支持されて下地鋼板６の屋根面部材４への木ネジ等による取付部（図示せず）に更に分散されるので、木ネジ５０，５８が屋根面部材４への螺着穴を軒下側に拡径するを下地鋼板６が防止して、木ネジ５０，５８が屋根面部材４から抜け外れるのを防止することができるので、雪止取付金具２０，３０，４０や補強金具５１等の屋根面部材４への取付部や固定部の支持強度を向上させることができる。
【００６５】
尚、通常、複数の太陽電池パネルが縦横に並設する場合、複数の太陽電池パネル間には殆ど隙間を設けていない。このため、既設の屋根面部材上に雪止部材を後から取り付ける場合であって、屋根面部材の傾斜方向において最下部の太陽電池パネルより上側の太陽電池パネルの下縁にも雪止部材を取り付けた方が良い場合であっても、雪止部材を容易に取り付けることができる。
＜補足説明１＞
以上説明したように、この発明の実施の形態の雪止保持部材（雪止取付金具２０，３０，４０）は、傾斜する屋根面部材４上の太陽電池パネル１１上に積雪する雪が滑り落ちるのを規制させる雪止部材６０を、前記屋根面部材４上に取り付けるのに用いられる。しかも、この雪止保持部材（雪止取付金具２０，３０，４０）は、前記屋根面部材４上に直接取り付けられる取付部（取付板部２１，２２、取付板部３１，３２、取付板部４１，４２）と、前記太陽電池パネル１１上に配設した前記雪止部材６０を取付支持可能に、前記太陽電池パネル１１と同じ高さまで突出させられた雪止支持突部（２３，３３，４３）を備えている。
【００６６】
この構成によれば、雪止部材６０を太陽電池パネル１１上に配設した状態で、この雪止部材６０を屋根面部材４上へ容易に取り付けることができる。
＜補足説明２＞
また、この発明の実施の形態の雪止保持部材（雪止取付金具２０，３０，４０）において、前記取付部は帯状の取付板部（２１，２２、３１，３２、４１，４２）であり、前記雪止支持突部（２３，３３，４３）は、前記取付板部（２１，２２、３１，３２、４１，４２）から起立させられている。
【００６７】
この構成によれば、雪止支持突部（２３，３３，４３）を屋根面部材４上に容易に取り付けることができると共に、雪止部材６０を太陽電池パネル１１上に配設した状態で、この雪止部材６０を屋根面部材４上へ容易に取り付けることができる。
＜補足説明３＞
また、この発明の実施の形態の雪止保持部材（雪止取付金具２０，３０，４０）において、前記雪止支持突部（２３，３３，４３）は、前記取付板部（２１，２２、３１，３２、４１，４２）から起立させた起立板部（２３ａ，２３ｂ、３３ａ，３３ｂ、４３ａ，４３ｂ）と、前記起立板部（２３ａ，２３ｂ、３３ａ，３３ｂ、４３ａ，４３ｂ）の上端に連設され且つ上面が前記太陽電池パネル１１の上面と同じ高さの連設部（２３ｃ、３３ｃ、４３ｃ）を備えている。
【００６８】
この構成によれば、雪止部材６０を太陽電池パネル１１上に配設した状態で、この雪止部材６０を連設部（２３ｃ、３３ｃ、４３ｃ）に取り付けることにより、雪止部材６０を屋根面部材４上へ容易に取り付けることができる。
＜補足説明４＞
また、この発明の実施の形態の雪止保持部材（雪止取付金具２０，３０，４０）において、前記取付板部（２１，２２、３１，３２、４１，４２）と前記起立板部（２３ａ，２３ｂ、３３ａ，３３ｂ、４３ａ，４３ｂ）との間に補強リブ（補強板２４，２５、３４，３５、４４，４５）が設けられている。
【００６９】
この構成によれば、雪止支持突部（２３，３３，４３）の支持強度を向上させることができる。
＜補足説明５＞
また、この発明の実施の形態の雪止保持部材（雪止取付金具２０，３０，４０）において、前記取付板部（２１，２２、又は３１，３２、若しくは４１，４２）は２つ設けられ、前記起立板部（２３ａ，２３ｂ又は３３ａ，３３ｂ若しくは４３ａ，４３ｂ）は前記２つの取付板部（２１，２２、又は３１，３２、若しくは４１，４２）からそれぞれ起立させられ、前記連設部（２３ｃ、３３ｃ、４３ｃ）は前記２つの起立板部（２３ａ，２３ｂ又は３３ａ，３３ｂ若しくは４３ａ，４３ｂ）の上端間を連設している。
【００７０】
この構成によれば、雪止部材６０を連設部（２３ｃ、３３ｃ、４３ｃ）に安定支持させることができると共に、雪止支持突部（２３，３３，４３）の強度を向上させることができる。
＜補足説明６＞
また、この発明の実施の形態の雪止保持部材（雪止取付金具２０，３０，４０）において、前記連設部（２３ｃ、３３ｃ、４３ｃ）には固定ネジ（２６，３６，４６）の下端部が取り付けられている。
【００７１】
この構成によれば、雪止部材６０を固定ネジ（２６，３６，４６）により連設部（２３ｃ、３３ｃ、４３ｃ）に容易に取り付けることができる。
＜補足説明７＞
また、この発明の実施の形態の雪止保持部材（雪止取付金具２０，３０，４０）において、前記固定ネジ（２６，３６，４６）は前記連設部（２３ｃ、３３ｃ、４３ｃ）の中央部に螺着されている。
【００７２】
この構成によれば、雪止部材６０を連設部（２３ｃ、３３ｃ、４３ｃ）に安定支持させることができる。
＜補足説明８＞
また、この発明の実施の形態の雪止保持部材（雪止取付金具２０，３０，４０）において、前記帯状の取付板部（２１，２２、３１，３２、４１，４２）には複数のネジ穴（２１ａ，３１ａ，４１ａ）を長手方向に配列した２列のネジ穴列（２１Ｌ，２１Ｒ又は３１Ｌ，３１Ｒ若しくは４１Ｌ，４１Ｒ）が設けられ、前記２列のネジ穴列（２１Ｌ，２１Ｒ又は３１Ｌ，３１Ｒ若しくは４１Ｌ，４１Ｒ）はネジ穴（２１ａ，３１ａ，４１ａ）が半ピッチずらして設けられている。
【００７３】
この構成によれば、帯状の取付板部（２１，２２、３１，３２、４１，４２）の屋根面部材４上への取付強度を大きくできる。
＜補足説明９＞
また、この発明の実施の形態の太陽電池屋根構造は、太陽電池パネル本体１２の周囲にパネル支持枠１３を装着した太陽電池パネル１１が設けられ、前記太陽電池パネル１１が傾斜する屋根面部材４の上面部に設けられていると共に、請求項１〜８のいずれか一つに記載の雪止保持部材（雪止取付金具２０，３０，４０）が前記屋根面部材４に直接取り付けられ、前記太陽電池パネル１１上に積雪する雪が前記屋根面部材４の傾斜方向下方へ移動するのを規制させる雪止部材６０が前記雪止保持部材（雪止取付金具２０，３０，４０）に取り付けられている。
【００７４】
この構成によれば、補足説明１〜８の効果を有する太陽電池屋根構造を提供できる。
【符号の説明】
【００７５】
１・・・建物
４・・・屋根面部材
１１・・・太陽電池パネル
１２・・・太陽電池パネル本体
１３・・・パネル支持枠
２０  ・・・雪止保持金具（雪止保持部材）
２１・・・取付板部（取付部）
２１ａ・・・ネジ穴
２１Ｌ・・・ネジ穴列
２１Ｒ・・・ネジ穴列
２２・・・取付板部（取付部）
２３・・・雪止支持突部
２３ａ・・・起立板部
２３ｂ・・・起立板部
２３ｃ・・・連設部
２６・・・固定ネジ
３０  ・・・雪止保持金具（雪止保持部材）
３１・・・取付板部（取付部）
３１ａ・・・ネジ穴
３１Ｌ・・・ネジ穴列
３１Ｒ・・・ネジ穴列
３２・・・取付板部（取付部）
３３・・・雪止支持突部
３３ａ・・・起立板部
３３ｂ・・・起立板部
３３ｃ・・・連設部
３６・・・固定ネジ
４０  ・・・雪止保持金具（雪止保持部材）
４１・・・取付板部（取付部）
４１ａ・・・ネジ穴
４１Ｌ・・・ネジ穴列
４１Ｒ・・・ネジ穴列
４２・・・取付板部（取付部）
４３・・・雪止支持突部
４３ａ・・・起立板部
４３ｂ・・・起立板部
４３ｃ・・・連設部
４６・・・固定ネジ
６０・・・雪止部材
【図１】
2014125725.tif 000003
【図２】
2014125725.tif 000004
【図３】
2014125725.tif 000005
【図４】
2014125725.tif 000006
【図５】
2014125725.tif 000007
【図６】
2014125725.tif 000008
【図７】
2014125725.tif 000009
【図８】
2014125725.tif 000010
【図９】
2014125725.tif 000011
【図１０】
2014125725.tif 000012
【図１１】
2014125725.tif 000013
【図１２】
2014125725.tif 000014
【図１３】
2014125725.tif 000015
【図１４】
2014125725.tif 000016
【図１５】
2014125725.tif 000017
【図１６】
2014125725.tif 000018
【図１７】
2014125725.tif 000019
【図１８】
2014125725.tif 000020
【図１９】
2014125725.tif 000021
【図２０】
2014125725.tif 000022
【図２１】
2014125725.tif 000023
【図２２】
2014125725.tif 000024
【図２３】
2014125725.tif 000025
【図２４】
2014125725.tif 000026
【図２５】
2014125725.tif 000027
【図２６】
2014125725.tif 000028
【図２７】
2014125725.tif 000029
【図２８】
2014125725.tif 000030
【図２９】
2014125725.tif 000031
【図３０】
2014125725.tif 000032
【図３１】
2014125725.tif 000033